(57)【特許請求の範囲】
【請求項１】
吹き抜け空間と、当該吹き抜け空間の上方側にて隣接する隣接空間とを仕切る壁の開口に設けられる建具であって、
前記壁の開口の上縁に取り付けられる上枠と、
前記上枠に設けられた上レールに沿って見付け方向に移動可能な障子と、
を備え、
前記上枠は、前記上レールが垂設されている上面部と、
前記上面部の前記吹き抜け空間側の縁から前記壁の内側にて垂設された垂設板部と、
前記垂設板部の下端から前記吹き抜け空間側に設けられた第１水平面部と、
前記第１水平面部より下方且つ前記吹き抜け空間側に設けられた第２水平面部と、
を有し、
前記障子の上框は、前記上レールを収容する収容部を有し、
前記障子は、前記収容部に前記上レールが収容されて取り付けられた際に、前記上框の前記吹き抜け空間側の縁が前記垂設板部より前記吹き抜け空間側に位置するとともに、前記上框は前記第１水平面部と上下方向に間隔を隔てて配置される部位を有することを特徴とする建具。
【請求項２】
吹き抜け空間と、当該吹き抜け空間の上方側にて隣接する隣接空間とを仕切る壁の開口に設けられる建具であって、
前記壁の開口の上縁に取り付けられる上枠と、
前記上枠に設けられた上レールに沿って見付け方向に移動可能な障子と、
を備え、
前記上枠は、前記上レールが垂設されている上面部と、
前記上面部の前記吹き抜け空間側の縁から前記壁の内側にて垂設された垂設板部と、
前記垂設板部の下端から前記吹き抜け空間側に設けられた第１水平面部と、
前記第１水平面部より下方且つ前記吹き抜け空間側に設けられた第２水平面部と、
を有し、
前記障子は、面材、及び、
四方に配置され、前記面材の前記隣接空間側に配置される框本体と、前記面材の前記吹き抜け空間側に配置され前記面材の端部を当該框本体との間に介在させて保持するための保持部と、を有する４つの框、を備え、
前記４つの框に設けられた前記保持部の先端に囲まれた領域は、前記４つの框の前記框本体にて囲まれた領域より広いことを特徴とする建具。
【請求項３】
吹き抜け空間と、当該吹き抜け空間の上方側にて隣接する隣接空間とを仕切る壁の開口に設けられる建具であって、
前記壁の開口の上縁に取り付けられる上枠と、
前記壁の開口の下縁に取り付けられる下枠と、
前記上枠に設けられた上レールに沿って見付け方向に移動可能な障子と、
を備え、
前記上枠は、前記上レールが垂設されている上面部と、
前記上面部の前記吹き抜け空間側の縁から前記壁の内側にて垂設された垂設板部と、
前記垂設板部の下端から前記吹き抜け空間側に設けられた第１水平面部と、
前記第１水平面部より下方且つ前記吹き抜け空間側に設けられた第２水平面部と、
を有し、
前記障子は、面材、及び、
四方に配置され、前記面材の前記隣接空間側に配置される框本体を有する４つの框、を備え、
前記上框の前記框本体の下端部は、前記上枠の前記隣接空間側の下縁と同じ位置、または下縁より上方に位置し、前記障子の下框の前記框本体の上端部は、前記下枠の前記隣接空間側の上縁と同じ位置、または上縁より下方に位置することを特徴とする建具。
【請求項４】
請求項１乃至請求項３に記載の建具であって、
前記第２水平面部は、前記上レールの下端と同じ位置、または下端より下方に位置することを特徴とする建具。
【発明の詳細な説明】
【技術分野】
【０００１】
本発明は、隣接する２つの空間を仕切る壁に設けられる建具に関する。
【背景技術】
【０００２】
隣接する２つの空間を仕切る壁に設けられる建具としては、例えば、洋室と和室との間の間仕切りとして使用される戸襖が知られている（例えば、特許文献１参照）。戸襖は、各面がそれぞれの部屋に応じた外観を備えるとともに、上下框に設けられ上下方向に摺動可能な調節桟が建付調節により框より外側に突出して外観体裁が悪くならないように意匠性を考慮している。
【特許文献１】実開昭５９−８２１９０号公報
【発明の開示】
【発明が解決しようとする課題】
【０００３】
近年、開放的な印象を与える吹き抜け空間を形成する壁などに設けられる建具に、特に意匠性に対する要求が高まっている。例えば、障子の面材となるガラスの占める領域を広く見せたり、框や枠体をより小さく見せることが望まれている。しかしながら、枠体は障子を取り付けるための制約により枠や框が大きくなり意匠性を高めることは難しかった。  
本発明は、かかる課題に鑑みてなされたものであり、その目的とするところは、障子が取り付けやすく、且つ、優れた意匠性を有する建具を提供することにある。
【課題を解決するための手段】
【０００４】
かかる目的を達成するために本発明の建具は、吹き抜け空間と、当該吹き抜け空間の上方側にて隣接する隣接空間とを仕切る壁の開口に設けられる建具であって、前記壁の開口の上縁に取り付けられる上枠と、前記上枠に設けられた上レールに沿って見付け方向に移動可能な障子と、を備え、前記上枠は、前記上レールが垂設されている上面部と、前記上面部の前記吹き抜け空間側の縁から前記壁の内側にて垂設された垂設板部と、前記垂設板部の下端から前記吹き抜け空間側に設けられた第１水平面部と、前記第１水平面部より下方且つ前記吹き抜け空間側に設けられた第２水平面部と、を有し、前記障子の上框は、前記上レールを収容する収容部を有し、前記障子は、前記収容部に前記上レールが収容されて取り付けられた際に、前記上框の前記吹き抜け空間側の縁が前記垂設板部より前記吹き抜け空間側に位置するとともに、前記上框は前記第１水平面部と上下方向に間隔を隔てて配置される部位を有することを特徴とする建具である。  
このような建具によれば、上レールが垂設されている上面部の吹き抜け空間側の縁から壁の内側にて垂設された垂設板部を有しているので、障子が上レールに案内されるように取り付けられると、上レール及び障子の上端側は吹き抜け空間側に設けられた垂設板部により吹き抜け空間側に露出しないように隠される。
【０００５】
また、垂設板部の下端から吹き抜け空間側に設けられた第１水平面部と、第１水平面部より下方且つ吹き抜け空間側に設けられた第２水平面部とを有しているので、第１水平面の下方であって第２水平面より隣接空間側に、上レールが設けられている空間と繋がった空隙部が形成される。そして、例えば障子をケンドン方式にて取り付ける場合であっても、吹き抜け空間側から傾けて進入させた障子の上端側の部位を、空隙部を利用して上レールに係合させることが可能である。このため、吹き抜け空間側に設けられている上レールと垂設板部との間隔が狭くても容易に障子を取り付けることが可能である。よって、見込み方向において障子の吹き抜け空間側にて露出する上枠の領域を小さく抑えつつ障子が取り付けやすい構造をなす、吹き抜け空間側からの意匠性に優れた建具を提供することが可能である。
【０００６】
さらに、上枠は障子より吹き抜け空間側が第１水平面と第２水平面とに分かれており、また、第２水平面より上方且つ上レール側に設けられた第１水平面は、第２水平面側の部位の影になるため、吹き抜け空間の下側から見上げる人にとっては、上枠の見える領域が狭くなるので、より意匠性が向上する。よって、障子が取り付けやすくかつ優れた意匠性を有する建具を提供することが可能である。
【０００７】
また、障子の上框の収容部に上レールが収容されて取り付けられた際には、上框の吹き抜け空間側の縁が垂設板部より吹き抜け空間側に位置するので、たとえ吹き抜け空間の下側から見上げたとしても上レールが見え難くなっている。このため、下方からの美観に優れた建具を提供することが可能である。また、上框は垂設板部より吹き抜け空間側に位置する部位が第１水平面部と上下方向に間隔を隔てて配置されているので、障子を上方に持ち上げることが可能である。このため、美観に優れ且つ障子を容易に取り付けることが可能な建具を提供することが可能である。
【０００８】
また、吹き抜け空間と、当該吹き抜け空間の上方側にて隣接する隣接空間とを仕切る壁の開口に設けられる建具であって、前記壁の開口の上縁に取り付けられる上枠と、前記上枠に設けられた上レールに沿って見付け方向に移動可能な障子と、を備え、前記上枠は、前記上レールが垂設されている上面部と、前記上面部の前記吹き抜け空間側の縁から前記壁の内側にて垂設された垂設板部と、前記垂設板部の下端から前記吹き抜け空間側に設けられた第１水平面部と、前記第１水平面部より下方且つ前記吹き抜け空間側に設けられた第２水平面部と、を有し、前記障子は、面材、及び、四方に配置され、前記面材の前記隣接空間側に配置される框本体と、前記面材の前記吹き抜け空間側に配置され前記面材の端部を当該框本体との間に介在させて保持するための保持部と、を有する４つの框、を備え、前記４つの框に設けられた前記保持部の先端に囲まれた領域は、前記４つの框の前記框本体にて囲まれた領域より広いことを特徴とする建具である。  
このような建具によれば、上レールが垂設されている上面部の吹き抜け空間側の縁から壁の内側にて垂設された垂設板部を有しているので、障子が上レールに案内されるように取り付けられると、上レール及び障子の上端側は吹き抜け空間側に設けられた垂設板部により吹き抜け空間側に露出しないように隠される。
【０００９】
また、垂設板部の下端から吹き抜け空間側に設けられた第１水平面部と、第１水平面部より下方且つ吹き抜け空間側に設けられた第２水平面部とを有しているので、第１水平面の下方であって第２水平面より隣接空間側に、上レールが設けられている空間と繋がった空隙部が形成される。そして、例えば障子をケンドン方式にて取り付ける場合であっても、吹き抜け空間側から傾けて進入させた障子の上端側の部位を、空隙部を利用して上レールに係合させることが可能である。このため、吹き抜け空間側に設けられている上レールと垂設板部との間隔が狭くても容易に障子を取り付けることが可能である。よって、見込み方向において障子の吹き抜け空間側にて露出する上枠の領域を小さく抑えつつ障子が取り付けやすい構造をなす、吹き抜け空間側からの意匠性に優れた建具を提供することが可能である。
【００１０】
さらに、上枠は障子より吹き抜け空間側が第１水平面と第２水平面とに分かれており、また、第２水平面より上方且つ上レール側に設けられた第１水平面は、第２水平面側の部位の影になるため、吹き抜け空間の下側から見上げる人にとっては、上枠の見える領域が狭くなるので、より意匠性が向上する。よって、障子が取り付けやすくかつ優れた意匠性を有する建具を提供することが可能である。
【００１１】
また、框本体の吹き抜け空間側に設けられ、障子の面材が保持される保持部の先端に囲まれる領域は、４つの框の框本体にて囲まれる領域より広いので、見込み方向において框の中央近傍に面材が保持される障子より、吹き抜け空間側に露出される面材の領域を広くすることが可能である。このため、吹き抜け空間側の意匠性がより優れた建具を提供することが可能である。
【００１２】
また、吹き抜け空間と、当該吹き抜け空間の上方側にて隣接する隣接空間とを仕切る壁の開口に設けられる建具であって、前記壁の開口の上縁に取り付けられる上枠と、前記壁の開口の下縁に取り付けられる下枠と、前記上枠に設けられた上レールに沿って見付け方向に移動可能な障子と、を備え、前記上枠は、前記上レールが垂設されている上面部と、前記上面部の前記吹き抜け空間側の縁から前記壁の内側にて垂設された垂設板部と、前記垂設板部の下端から前記吹き抜け空間側に設けられた第１水平面部と、前記第１水平面部より下方且つ前記吹き抜け空間側に設けられた第２水平面部と、を有し、前記障子は、面材、及び、四方に配置され、前記面材の前記隣接空間側に配置される框本体を有する４つの框、を備え、前記上框の前記框本体の下端部は、前記上枠の前記隣接空間側の下縁と同じ位置、または下縁より上方に位置し、前記障子の下框の前記框本体の上端部は、前記下枠の前記隣接空間側の上縁と同じ位置、または上縁より下方に位置することを特徴とする建具である。  
このような建具によれば、上レールが垂設されている上面部の吹き抜け空間側の縁から壁の内側にて垂設された垂設板部を有しているので、障子が上レールに案内されるように取り付けられると、上レール及び障子の上端側は吹き抜け空間側に設けられた垂設板部により吹き抜け空間側に露出しないように隠される。
【００１３】
また、垂設板部の下端から吹き抜け空間側に設けられた第１水平面部と、第１水平面部より下方且つ吹き抜け空間側に設けられた第２水平面部とを有しているので、第１水平面の下方であって第２水平面より隣接空間側に、上レールが設けられている空間と繋がった空隙部が形成される。そして、例えば障子をケンドン方式にて取り付ける場合であっても、吹き抜け空間側から傾けて進入させた障子の上端側の部位を、空隙部を利用して上レールに係合させることが可能である。このため、吹き抜け空間側に設けられている上レールと垂設板部との間隔が狭くても容易に障子を取り付けることが可能である。よって、見込み方向において障子の吹き抜け空間側にて露出する上枠の領域を小さく抑えつつ障子が取り付けやすい構造をなす、吹き抜け空間側からの意匠性に優れた建具を提供することが可能である。
【００１４】
さらに、上枠は障子より吹き抜け空間側が第１水平面と第２水平面とに分かれており、また、第２水平面より上方且つ上レール側に設けられた第１水平面は、第２水平面側の部位の影になるため、吹き抜け空間の下側から見上げる人にとっては、上枠の見える領域が狭くなるので、より意匠性が向上する。よって、障子が取り付けやすくかつ優れた意匠性を有する建具を提供することが可能である。
【００１５】
また、上框の框本体の下端部は、上枠の隣接空間側の下縁と同じ位置、または下縁より上方に位置しているので、隣接空間側に障子の上框は露出し難い。また、下框の框本体の上端部は、下枠の隣接空間側の上縁と同じ位置、または上縁より下方に位置しているので、隣接空間側に障子の下框は露出し難い。このため、隣接空間側からの美観にも優れた建具を提供することが可能である。
【００１６】
かかる建具であって、前記第２水平面部は、前記上レールの下端と同じ位置、または下端より下方に位置することが望ましい。  
このような建具によれば、第２水平面部は、上レールの下端と同じ位置、または下端より下方に位置するので、障子を開けた状態であっても上レールが露出し難い優れた意匠性を有する建具を提供することが可能である。
【発明の効果】
【００１７】
本発明によれば、障子が取り付けやすく、且つ、優れた意匠性を有する建具を提供することが可能である。
【発明を実施するための最良の形態】
【００１８】
以下、本発明の一実施形態に係る建具について、図を参照して説明する。  
本実施の形態に係る建具１０は、図１、図２に示すように、吹き抜け空間１と当該吹き抜け空間１と隣接する隣接空間とを仕切る壁５の開口３０ａに設けられ、特に吹き抜け空間１の上方、例えば２階部分に相当する隣接空間とを仕切る壁５の開口３０ａに設けられている。本実施形態では、隣接空間を２階居室２として説明する。
【００１９】
ところで、吹き抜け空間１は開放的なリビングルームなどとして用いられることが多いため、吹き抜け空間と２階居室との間に設けられる建具には、吹き抜け空間側に高い意匠性が求めることがある。すなわち、吹き抜け空間の下側から見上げられる建具は、見上げられた際に優れた意匠性が求められることがある。このため、本実施形態の建具１０は、障子２０が有する樹脂製の面材２５を、障子２０の見込み方向の厚さに対する中央より吹き抜け空間１側に配置させるとともに、吹き抜け空間１側から見える上框２１の見付け方向（上下方向）の幅を小さくし、框の面材２５の四辺を覆う部位の見える領域が小さくなるように構成している。尚、面材としては他にガラス製等、他の材質であってもよい。
【００２０】
建具１０は、吹き抜け空間１と吹き抜け空間１と隣接する２階居室２とを仕切る壁５の開口３０ａに設けられている。壁５は、複数の柱（不図示）、間柱（不図示）、方立６、窓まぐさ７、窓台８等を有する軸組の吹き抜け空間１側及び２階居室２側に例えば石膏ボードなどの表面材９が設けられて構成されている。そして、壁５を形成する隣接する２本の柱間に渡された窓まぐさ７、窓台８、及び窓まぐさ７と窓台８との間に設けられた方立て６に囲まれた部位によって開口３０ａが形成されている。この開口３０ａに建具１０が有する枠体３０が取り付けられている。
【００２１】
表面材９は、窓まぐさ７、窓台８、方立６に囲まれた領域より開口３０ａの中央側に突出させて設けられている。特に、２階居室２側の表面材９ｂは、吹き抜け空間１側の表面材９ａより大きく突出されている。
【００２２】
建具１０は、見付け方向に移動可能な引違い障子２０を有している。障子２０は、上下に配置される横框(上框２１、下框２２)と、左右に配置される縦框(左框２３、右框２４)とが矩形状に組み合わされ四方を囲むように形成されている。４つの框２１、２２、２３、２４は、いずれも矩形状の中空部を有する框本体２１ａ、２２ａ、２３ａ、２４ａと、面材２５の端部２５ａを框本体２１ａ、２２ａ、２３ａ、２４ａとの間に介在させて面材２５を保持するための面材保持部２１ｂ、２２ｂ、２３ｂ、２４ｂとを有している。
【００２３】
面材保持部２１ｂ、２２ｂ、２３ｂ、２４ｂは、吹き抜け空間１側に突出するように框本体２１ａ、２２ａ、２３ａ、２４ａに設けられている。また、面材保持部２１ｂ、２２ｂ、２３ｂ、２４ｂは、上框２１には框の高さに対し中央より上方側に、下框２２には框の高さに対し中央より下方側に設けられ、また、左框２３には左の縁部側に、右框２４には右の縁部側に、それぞれ設けられている。そして、４つの框２１、２２、２３、２４に設けられた面材保持部２１ｂ、２２ｂ、２３ｂ、２４ｂの先端２１ｃ、２２ｃ、２３ｃ、２４ｃに囲まれた領域は、４つの框２１、２２、２３、２４の框本体２１ａ、２２ａ、２３ａ、２４ａにて囲まれた領域より広く構成されている。このように、面材２５は各框２１、２２、２３、２４の吹き抜け空間１側に偏らせて設けられているとともに、面材保持部２１ｂ、２２ｂ、２３ｂ、２４ｂにて面材２５の吹き抜け空間１側を覆う領域が小さいので、吹き抜け空間１側から見た際には、枠体３０の内側の領域が、ほぼ全域が面材２５であるように見える。本実施形態では、吹き抜け空間１側の面材２５の露出面積を大きくするために、面材保持部２１ｂ、２２ｂ、２３ｂ、２４ｂの、吹き抜け空間１側にて面材２５を覆う部位の見付け寸法（上下方向の寸法）が、例えば８．５ｍｍ程度に小さく形成されている。
【００２４】
さらに、上框２１の框本体２１ａの下端部２１ｆは、上枠３１の２階居室２側の下端３１ｋより上方に位置し、下框２２の框本体２２ａの上端部２２ｆは、下枠３２の２階居室２側の上端３２ｊより下方に位置している。このため、２階居室２側から見て上框２１及び下框２２が露出し難いように構成されている。
【００２５】
また、左框２３及び右框２４は２階居室２側からも見えるように露出しており、左框２３及び右框２４のうちの戸先框に設けられた操作部２３ｄ、２４ｄが視認し易く、また操作し易いように構成されている。
【００２６】
上框２１には、上枠３１に設けられた上レール３１ａを収容するレール収容部２１ｄが見付け方向に沿って形成されている。また、下框２２には、下枠３２に設けられ溝状をなす下ガイド３２ａに案内されて回動する戸車２６と、下端部に２階居室側に突出する板状の脱落防止金具２７とが設けられている。この脱落防止金具２７は、障子２０が枠体３０に取り付けられた際に、下枠３２に設けられた脱落防止板３２ｂの下方にて上下に対面するように構成されている。
【００２７】
壁５の開口３０ａに取り付けられる枠体３０は、開口３０ａの上縁に固定される上枠３１と、下縁に固定される下枠３２と、左縁に固定される左枠３３と、右縁に固定される右枠３４とを有している。そして、上枠３１は窓まぐさ７に下方からねじ５０にて固定され、下枠３２は窓台８に上方からねじ５０にて固定され、左枠３３及び右枠３４は方立６にそれぞれねじ５０にて固定されている。
【００２８】
枠体３０は、壁５の見込み方向において吹き抜け空間１側に偏らせて配置されている。このため、枠体３０は、吹き抜け空間１側では、全周に亘り壁５の表面材９より僅かに突出した部位を有し、開口３０ａの吹き抜け空間１側を縁取るように縁部３９が形成されている。一方、枠体３０の２階居室２側は、表面材９の表面より壁５の内側に位置しており、表面材９と枠体３０との間は全周に亘って、表面材９と同じ部材にて形成された縁板部４０にて繋げられている。
【００２９】
下枠３２は、ほぼ水平面をなす下面部３２ｃと、下面部３２ｃに設けられ引違い障子２０の戸車２６を見付け方向に案内するための溝状の２本の下ガイド３２ａと、下面部３２ｃの２階居室２側の縁から上方に立設され縁板部４０の縁を覆うように形成された居室側下板部３２ｄと、下面部３２ｃの吹き抜け空間１側の縁から上方に立設され表面材９ａの縁を覆うように形成された吹き抜け空間側下板部３２ｅと、下面部３２ｃの２階居室２側の縁及び吹き抜け空間１側の縁からそれぞれ垂設されて窓台８に当接される脚部３２ｆとを有している。吹き抜け空間側下板部３２ｅは、吹き抜け空間１側の表面材９ａより高く立設されて吹き抜け空間１側に屈曲され表面材９ａより吹き抜け空間１側に突出された位置にてさらに下方に屈曲されて、吹き抜け空間１側の表面材９ａの上端部を覆うように構成された下縁部３９ｂを有している。
【００３０】
また、居室側下板部３２ｄには、下面部３２ｃより高い位置に、吹き抜け空間１側に突出する脱落防止板３２ｂが下枠３２のほぼ全長に亘って設けられている。この脱落防止板３２ｂは、内障子２０ａが取り付けられた際に、内障子２０ａに設けられた脱落防止金具２７より上方に位置するように構成されている。また、脱落防止板３２ｂには、内障子２０ａを上方から下枠３２に載置する際に下框２２に設けられた脱落防止金具２７と干渉しないように見付け方向の一部に切り欠き（不図示）が設けられている。すなわち、下枠３２に設けられた切り欠きの上方に内障子２０ａの脱落防止板３２ｂが配置される位置が、内障子２０ａの取り付け位置となる。
【００３１】
下枠３２の下面部３２ｃには、２本の下ガイド３２ａ間に見付け方向に沿って下方に凹設されて窓台８に当接される下溝部３２ｉが設けられている。下溝部３２ｉには、下枠３２を窓台８に固定するためのねじ５０が貫通される。下溝部３２ｉには、上方から当該下溝部３２ｉを覆うカバー３７が取り付けられるが、カバー３７には、下面部３２ｃより高い位置に、吹き抜け空間１側に突出する脱落防止板部３７ａがカバー３７の全長に亘って設けられている。この脱落防止板部３７ａは、カバー３７が取り付けられた際に、外障子２０ｂに設けられた脱落防止金具２７より上方に位置するように構成されている。
【００３２】
上枠３１は、引違い障子２０を上側にて案内する板状をなす２本の上レール３１ａと、上レール３１ａが垂設されてほぼ水平面をなす上面部３１ｂと、上面部３１ｂの２階居室２側の縁から下方に垂設され縁板部４０の縁を覆うように形成された居室側上板部３１ｃと、上面部３１ｂの吹き抜け空間１側の縁から下方に垂設され表面材９ｂの縁を覆うように形成された吹き抜け空間側上板部３１ｄと、上面部３１ｂの２階居室２側の縁及び吹き抜け空間１側の縁からそれぞれ立設されて窓まぐさ７に当接される脚部３１ｅとを有している。
【００３３】
上枠３１の上面部３１ｂには、２本の上レール３１ａ間に見付け方向に沿って上方に凹設されて窓まぐさ７に当接される上溝部３１ｆが設けられている。上溝部３１ｆには、上枠３１を窓まぐさ７に固定するためのねじ５０が貫通される。上溝部３１ｆには、下方から当該上溝部３１ｆを覆うカバー３６が取り付けられ、ねじ５０が覆い隠される。
【００３４】
吹き抜け空間側上板部３１ｄは、壁５の表面材９ａの内面に沿うように形成された垂設板部３１ｇと、表面材９ａの下端にて吹き抜け空間１側に屈曲した第１水平面部３１ｈと、第１水平面部３１ｈより下方且つ吹き抜け空間１側に設けられた第２水平面部３１ｉと、第１水平面部３１ｈと第２水平面部３１ｉとを見込み方向において表面材９ａのほぼ中央で連結する連結部３１ｊと、表面材９ａより吹き抜け空間１側に突出された位置にて第２水平面部３１ｉから繋がって立設され、吹き抜け空間１側の表面材９ａの下端部を覆うように構成された上縁部３９ａとを有している。
【００３５】
第１水平面部３１ｈは、その下面が枠体３０に取り付けられた障子２０の上端部より僅かに高い位置に配置され、第２水平面部３１ｉは、その下面が上レール３１ａの下端より僅かに低い位置に配置されている。また、枠体３０に取り付けられた外障子２０ｂは、上框２１の吹き抜け空間１側の縁が垂設板部３１ｇより吹き抜け空間１側に位置し、上框２１の面材保持部２１ｂの上面が第１水平面部３１ｈと対向しつつ上下方向に間隔を隔てて配置されるように構成されている。
【００３６】
連結部３１ｊは、第１水平面部３１ｈの吹き抜け空間１側の縁と、第２水平面部３１ｉの２階居室２側の縁とを連結し、上方に向かって上レール３１ａとの間隔が順次狭くなるように傾斜している。尚、連結部３１ｊは必ずしも傾斜していなくとも良い。
【００３７】
そして、枠体３０は、上枠３１の縁部３９ａ、下枠３２の縁部３９ｂとともに、左枠３３及び右枠３４にも同様の縁部３９ｃ、３９ｄが設けられており、吹き抜け空間１側に、開口３０ａの全周に亘って、例えば見付け方向の幅が約１０ｍｍの縁部３９が露出するように構成されている。
【００３８】
建具１０の枠体３０に障子２０を取り付ける場合には、図３、図４に示すように、カバー３７を外した状態で先ず内障子２０ａを取り付けた後に外障子２０ｂを取り付ける。内障子２０ａは、上框２１側が２階居室２側に、下框２２側が吹き抜け空間１側に向くように傾けられつつ開口３０ａの内側に移動させる。このとき、上框２１のレール収容部２１ｄに上枠３１の２階居室２側に設けられた上レール３１ａを入り込ませて上方に持ち上げつつ開口３０ａの内側に移動させる。内障子２０ａの場合には、内障子２０ａを収容する領域の吹き抜け空間１側に外障子２０ｂを収容する空間が設けられているので、内障子２０ａを傾けつつ、より上方に容易に持ち上げることができる。
【００３９】
次に、傾けていた内障子２０ａをほぼ鉛直に向くように下框２２側を２階居室２側に移動させる。このとき、内障子２０ａの戸車２６が２階居室２側の下ガイド３２ａの上方に位置する状態まで移動させるとともに、下枠３２に設けられた切り欠きの上方に内障子２０ａの脱落防止板３２ｂが配置される、内障子２０ａの取り付け位置に移動させる。その後、内障子２０ａを降下させて下枠３２に支持させる。
【００４０】
次に、外障子２０ｂを取り付ける。外障子２０ｂも内障子２０ａと同様に、上框２１側が２階居室２側に下框２２側が吹き抜け空間１側に向くように傾けられつつ開口３０ａの内側に移動させる。このとき、上框２１のレール収容部２１ｄに上枠３１の吹き抜け空間１側に設けられた上レール３１ａを入り込ませて上方に持ち上げつつ開口３０ａの内側に移動させる。この場合には、外障子２０ｂの上框２１の吹き抜け空間１側の部位を、吹き抜け空間側上板部３１ｄと上レール３１ａとの間に入り込ませなければならない。上枠３１には、吹き抜け空間側上板部３１ｄが有する垂設板部３１ｇが表面材９ａの下端にて吹き抜け空間１側に屈曲されて第１水平面部３１ｈと繋がり、第１水平面部３１ｈは、第１水平面部３１ｈより下方且つ吹き抜け空間１側に設けられた第２水平面部３１ｉと表面材９ａのほぼ中央にて繋がっているので、表面材９ａの下方には上框２１の一部が入り込む空隙部が形成されている。このため、建具１０では外障子２０ｂを傾けつつより上方に容易に持ち上げることが可能である。
【００４１】
次に、傾けていた外障子２０ｂをほぼ鉛直に向くように下框２２側を２階居室２側に移動させる。そして、内障子２０ａの戸車２６が吹き抜け空間１側の下ガイド３２ａの上方に位置する状態まで移動させた後、外障子２０ｂを降下させて下枠３２に支持させる。その後、外障子２０ｂの下框２２に設けられた脱落防止金具２７がカバー３７の脱落防止板部３７ａの下方に位置するようにカバー３７を下枠３２の下溝部３２ｉに勘合する。
【００４２】
本実施形態の建具１０によれば、上レール３１ａが垂設されている上面部３１ｂの吹き抜け空間１側の縁から壁５の内側にて垂設された垂設板部３１ｇを有しているので、障子２０が上レール３１ａに案内されるように取り付けられると、上レール３１ａ及び障子２０の上端側は吹き抜け空間１側に設けられた垂設板部３１ｇにより吹き抜け空間１側に露出しないように隠される。
【００４３】
また、垂設板部３１ｇの下端から吹き抜け空間１側に設けられた第１水平面部３１ｈと、第１水平面部３１ｈより下方且つ吹き抜け空間１側に設けられた第２水平面部３１ｉとを有しているので、第１水平面３１ｈの下方であって第２水平面３１ｉより２階居室２側に、上レール３１ａが設けられている空間と繋がった空隙部が形成される。そして、例えば障子２０をケンドン方式にて取り付ける場合であっても、吹き抜け空間１側から傾けて進入させた外障子２０ｂの上端側の部位としての上側の面材保持部２１ｂを、空隙部に位置させることにより、上レール３１ａをレール収容部２１ｄに容易に収容させることが可能である。このため、吹き抜け空間１側に設けられている上レール３１ａと垂直板部３１ｇとの間隔が狭くても容易に障子２０を取り付けることが可能となる。よって、障子２０の吹き抜け空間１側に露出する上枠３１の領域を小さく抑えつつ障子２０が取り付けやすい構造をなす、吹き抜け空間１側からの意匠性に優れた建具１０を提供することが可能である。
【００４４】
さらに、上枠２１は障子２０より吹き抜け空間１側が第１水平面３１ｈと第２水平面３１ｉとに分かれており、また、第２水平面３１ｉより上方且つ上レール３１ａ側に設けられた第１水平面３１ｈは、第２水平面３１ｉ側の部位の影になるため、吹き抜け空間１の下側から見上げる人にとっては、上枠３１の見える領域が狭くなるので、より意匠性が向上する。よって、障子２０が取り付けやすくかつ優れた意匠性を有する建具１０を提供することが可能である。
【００４５】
また、第２水平面部３１ｉは、上レール３１ａの下端より下方に位置するので、障子２０を開けた状態であっても上レール３１ａが露出し難く、優れた意匠性を有する建具１０を実現することが可能である。
【００４６】
また、障子２０の上框２１のレール収容部２１ｄに上レール３１ａが収容されて取り付けられた際には、上框２１の吹き抜け空間１側の縁が垂設板部３１ｇより吹き抜け空間１側に位置するので、たとえ吹き抜け空間１の下側から見上げたとしても、この障子２０の位置においては上レール３１ａは更に見え難くなっている。このため、下方からの美観に優れた建具１０を提供することが可能である。さらに、上框３１は垂設板部３１ｇより吹き抜け空間１側に位置する部位が第１水平面部３１ｈと上下方向に間隔を隔てて配置されているので、障子２０を上方に持ち上げることが可能である。このため、美観に優れ且つ障子２０を容易に取り付けることが可能な建具１０を提供することが可能である。
【００４７】
また、框本体２１ａ、２２ａ、２３ａ、２４ａの吹き抜け空間１側に設けられ、障子２０の面材２５が保持される面材保持部２１ｂ、２２ｂ、２３ｂ、２４ｂの先端２１ｃ、２２ｃ、２３ｃ、２４ｃに囲まれる領域は、４つの框２１、２２、２３、２４の框本体２１ａ、２２ａ、２３ａ、２４ａにて囲まれる領域より広いので、見込み方向において框２１、２２、２３、２４の中央近傍に面材２５が保持される場合より、吹き抜け空間１側に露出される面材２５の領域を広くすることが可能である。このため、吹き抜け空間１側の意匠性がより優れた建具１０を提供することが可能である。
【００４８】
さらに、上框２１の框本体２１ａの下端部２１ｆは、居室側上板部３１ｃの下端３１ｋより上方に位置しているので、２階居室２側からは障子２０の上框２１は露出し難い。また、下框２２の框本体２２ａの上端部２２ｆは、居室側下板部３２ｄの上端３２ｊより下方に位置しているので、２階居室２側からは障子２０の下框２２は露出し難い。このため、２階居室２側からの美観にも優れた建具１０を提供することが可能である。
【００４９】
上記実施形態においては、２枚の障子２０を有する引違い障子を有する建具１０を例に挙げて説明したが、この限りではない。たとえば、３枚以上の障子を有する建具であっても良い。
【００５０】
また、上記実施形態においては、第２水平面部３１ｉが上レール３１ａの下端より下方に位置していたが、下端と同じ位置でも良い。
【００５１】
また、上記実施形態においては、上框２１の框本体２１ａの下端部２１ｆが、居室側上板部３１ｃ（上枠３１）の下端３１ｋ（隣接空間側の下縁）より上方に位置し、下框２２の框本体２２ａの上端部２２ｆが、居室側下板部３２ｄ（下枠３２）の上端３２ｊ（隣接空間側の上縁）より下方に位置していたが、上框２１の框本体２１ａの下端部２１ｆが居室側上板部３１ｃの下端３１ｋと同じ位置、下框２２の框本体２２ａの上端部２２ｆが居室側下板部３２ｄの上端３２ｊと同じ位置であっても良い。
【００５２】
更に、上記実施形態においては、建具１０が設けられる壁５を吹き抜け空間１と２階居室２とを仕切る壁５としたが、隣接空間は３階以上居室や通路など、その他の空間と吹き抜け空間１とを仕切る壁でも構わない。
【００５３】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００５４】
【図１】本実施形態に係る建具の縦断面図である。
【図２】本実施形態に係る建具の水平断面図である。
【図３】内障子の取付方法を説明するための縦断面図であり、図３（ａ）は、内障子を上レールに係合させた状態を示す縦断面図、図３（ｂ）は、内障子が鉛直方向を向くように移動させた状態を示す縦断面図、図３（ｃ）は、内障子が取り付けられた状態を示す縦断面図である。
【図４】外障子の取付方法を説明するための縦断面図であり、図４（ａ）は、外障子を上レールに係合させた状態を示す縦断面図、図４（ｂ）は、外障子が鉛直方向を向くように移動させた状態を示す縦断面図、図４（ｃ）は、外障子が取り付けられた状態を示す縦断面図である。
【符号の説明】
【００５５】
１  吹き抜け空間、２  ２階居室、５  壁、１０  建具、２０  障子、
２０ａ  内障子、２０ｂ  外障子、２１  上框、２１ａ  框本体、
２１ｂ  面材保持部、２１ｃ  先端、２１ｄ  レール収容部、
２２  下框、２２ａ  框本体、２２ｂ  面材保持部、２２ｃ  先端、
２３  左框、２３ａ  框本体、２３ｂ  面材保持部、２３ｃ  先端、
２４  右框、２４ａ  框本体、２４ｂ  面材保持部、２４ｃ  先端、
２５  面材、２５ａ  面材の端部、３０  枠体、３０ａ  開口、
３１  上枠、３１ａ  上レール、３１ｂ  上面部、３１ｇ  垂設板部、
３１ｈ  第１水平面部、３１ｉ  第２水平面部、
３２  下枠、３３  左枠、３４  右枠、３９  縁部
【図１】
0004860646.tif 000002
【図２】
0004860646.tif 000003
【図３】
0004860646.tif 000004
【図４】
0004860646.tif 000005